(57)【要約】【課題】交流系統側に直流事故電流が流れても、交流遮断器を通過する事故電流を低下させ、安全かつ迅速に事故電流を遮断することのできる電力変換装置を提供する。【解決手段】正側直流端子１０ａ及び負側直流端子１０ｂを有する直流端子と３相交流端子との間に設けられ、直流と３相交流との間で相互に電力を変換する電力変換装置であって、スイッチング素子１１ａ、１１ｂとコンデンサ１３とを含む単位変換器がそれぞれ多段接続されてなり、正側直流端子１０ａと負側直流端子１０ｂとの間に直列接続された正側アーム２ａ及び負側アーム２ｂを３相各相に備え、正側直流端子１０ａと負側直流端子１０ｂとの間には、正側直流端子１０ａと負側直流端子１０ｂとを接地点を介して接続する短絡スイッチ６を設ける。【選択図】図１
2018148685.tif 000002
【特許請求の範囲】
【請求項１】
正側直流端子及び負側直流端子を有する直流端子と３相交流端子との間に設けられ、直流と３相交流との間で相互に電力を変換する電力変換装置であって、
スイッチング素子とコンデンサとを含む単位変換器がそれぞれ多段接続されてなり、前記正側直流端子と前記負側直流端子との間に直列接続された正側アーム及び負側アームを３相各相に備え、
前記正側直流端子と前記負側直流端子との間には、前記正側直流端子と前記負側直流端子とを接地点を介して又は直接に接続する短絡スイッチが設けられていること、
を特徴とする電力変換装置。
【請求項２】
前記負側直流端子が接地され、前記短絡スイッチは、前記正側直流端子と前記接地点とを接続すること、
を特徴とする請求項１に記載の電力変換装置。
【請求項３】
前記正側直流端子が接地され、前記短絡スイッチは、前記負側直流端子と前記接地点とを接続すること、
を特徴とする請求項１に記載の電力変換装置。
【請求項４】
前記正側アーム及び前記負側アームとの間に接続された多巻線変圧器を各相に備え、
前記多巻線変圧器は、
３相交流系統に接続される交流系統側巻線と、
前記正側アームと前記負側アームとの間に逆極性で直列接続された第１の直流系統側巻線及び第２の直流系統側巻線と、
を有すること、
を特徴とする請求項１〜３の何れかに記載の電力変換装置。
【請求項５】
前記正側アーム及び前記負側アームとの間に接続された多巻線変圧器を各相に備え、
前記多巻線変圧器は、
３相交流系統に接続される交流系統側巻線と、
前記正側アームと前記負側アームとの間に逆極性で直列接続された第１の直流系統側巻線及び第２の直流系統側巻線と、
３相各相の前記第１の直流系統側巻線と前記第２の直流系統側巻線との間から延びる互いに結線された中性線と、
を有し、
前記短絡スイッチは、前記中性線と接地点とを接続すること、
を特徴とする請求項１に記載の電力変換装置。
【請求項６】
前記短絡スイッチと前記接地点との間に抵抗が接続されていること、
を特徴とする請求項１〜５の何れかに記載の電力変換装置。
【請求項７】
前記短絡スイッチと前記接地点との間にリアクトルが接続されていること、
を特徴とする請求項１〜６の何れかに記載の電力変換装置。
【請求項８】
３相交流系統と、前記正側アーム及び前記負側アーム間の接続点との間の交流電路に設けられた交流遮断器に遮断指令を出力する遮断器制御部と、前記短絡スイッチに閉指令を出力する短絡スイッチ制御部とを有する制御装置を備え、
前記制御装置は、前記短絡スイッチ制御部が前記短絡スイッチに前記閉指令を出力し、前記短絡スイッチの閉状態を示す信号を受けた後、前記遮断器制御部が前記交流遮断器に前記遮断指令を出力すること、
を特徴とする請求項１〜７の何れかに記載の電力変換装置。
【請求項９】
３相交流系統と、前記正側アーム及び前記負側アーム間の接続点との間の交流電路に設けられた交流遮断器に遮断指令を出力する遮断器制御部と、前記短絡スイッチに閉指令を出力する短絡スイッチ制御部とを有する制御装置を備え、
前記制御装置は、前記短絡スイッチ制御部が前記短絡スイッチに前記閉指令を出力し、前記短絡スイッチの閉状態を示す信号を受ける前に、前記遮断器制御部が前記交流遮断器に前記遮断指令を出力すること、
を特徴とする請求項１〜７の何れかに記載の電力変換装置。
【請求項１０】
前記短絡スイッチは、半導体スイッチであること、
を特徴とする請求項１〜９の何れかに記載の電力変換装置。
【発明の詳細な説明】
【技術分野】
【０００１】
本発明の実施形態は、直流と交流との間で相互に電力を変換する電力変換装置に関する。
【背景技術】
【０００２】
従来、直流と交流との間で相互に電力を変換する電力変換装置には、３相２レベル変換器が適用されてきた。３相２レベル変換器は、直流から３相交流を出力する電力変換装置を構成する上で必要最小限の半導体スイッチング素子６個で構成されるため、小型化及び低コスト化を図ることができる利点がある。
【０００３】
一方、その出力電圧波形は、入力直流電圧をＶｄｃとしたとき、各相毎に、＋Ｖｄｃ／２と、−Ｖｄｃ／２の２値の切替をＰＷＭ（パルス幅変調）で行って、擬似的に生成された交流波形となる。高耐圧のスイッチング素子を使用していてＰＷＭスイッチング周波数を高くできない高電圧モータドライブや、直流送電などの電力系統接続機器においては、スイッチング高調波低減のために、３相交流出力にリアクトルやコンデンサで構成されるフィルタを挿入するが、電力系統に流れ出す高調波成分が他の機器に悪影響を及ぼさないレベルまで低減するためには、このフィルタ容量を大きくする必要があり、コスト上昇と重量増加を招いていた。
【０００４】
そこで、モジュラーマルチレベル変換器（以下、ＭＭＣという。）のように、コンデンサなどの直流電圧源を含んでなる単位変換器を多段接続し、電力系統、配電系統電圧と同等な高電圧を変換できる電力変換器の研究開発が進められている。ＭＭＣは、重量及び体積が大きくシステム全体に占めるコストも比較的大きいトランスを簡略にすることができる。また、単位変換器は、スイッチング素子及び直流コンデンサを含み構成され、スイッチング素子のオンオフのタイミングをずらすことにより、出力電圧及び電圧波形が多レベル化でき、正弦波に近づけることができるので、高調波フィルタが不要になるメリットを享受することができる。
【０００５】
このような単位変換器を多段に接続した回路方式では、各単位変換器の直流コンデンサの電圧値を一定に制御するために、直流電源を還流させる還流電流を常時流すことが原理的に必要である。３相を同一の直流電源に接続すると、各相の直流電圧合成値がわずかにでも異なると、相間に過大な短絡電流が流れてしまい、機器を破壊してしまう虞がある。従来では機器を保護するため、各相にバッファリアクトルを挿入し、短絡電流が過大にならないように制限している。
【先行技術文献】
【特許文献】
【０００６】
【特許文献１】特開２０１３−１１５８３７号公報
【発明の概要】
【発明が解決しようとする課題】
【０００７】
従来から、電力変換装置は、落雷や経年劣化による絶縁破壊、人為的ミスによる誤動作などによって、電力変換装置が地絡又は短絡し、交流系統から過大な事故電流が流れた場合に備えて、交流系統との間の交流電路に交流遮断器を設置する。この交流遮断器は、接点を開離した際に接点間に生じたアーク放電を消滅させて上記のような過大な事故電流を遮断し、交流系統と電力変換装置とを電気的に切り離す。
【０００８】
そのため、交流遮断器が遮断するには、当該遮断器に流れる事故電流がアーク放電が消滅させられる程度まで低下する必要がある。交流系統からの事故電流は、通常交流であり、交流１周期に極性が切り替わる。従って、１周期の間にアーク放電を消滅させられる程度まで事故電流が低下した場合に、安全かつ迅速に遮断が可能となる。
【０００９】
しかし、電力変換装置の３相のうち１相のように、３相のバランスが崩れた状態で地絡や短絡などの事故が発生した場合、相毎の事故電流の大きさが変わり、交流系統側に直流事故電流が流れることがある。この場合、事故電流は、交流電流に直流成分が重畳した電流となるため、アーク放電が消滅する程度になるまで事故電流が低下せず、交流遮断器で事故電流を遮断できないという問題があった。
【００１０】
本発明の実施形態に係る電力変換装置は、上記のような課題を解決するためになされたものであり、交流系統側に直流事故電流が流れても、交流遮断器を通過する事故電流を低下させ、安全かつ迅速に事故電流を遮断することのできる電力変換装置を提供することを目的とする。
【課題を解決するための手段】
【００１１】
上記の目的を達成するために、本実施形態の電力変換装置は、正側直流端子及び負側直流端子を有する直流端子と３相交流端子との間に設けられ、直流と３相交流との間で相互に電力を変換する電力変換装置であって、スイッチング素子とコンデンサとを含む単位変換器がそれぞれ多段接続されてなり、前記正側直流端子と前記負側直流端子との間に直列接続された正側アーム及び負側アームを３相各相に備え、前記正側直流端子と前記負側直流端子との間には、前記正側直流端子と前記負側直流端子とを接地点を介して又は直接に接続する短絡スイッチが設けられていること、を備えることを特徴とする。
【図面の簡単な説明】
【００１２】
【図１】第１の実施形態に係る電力変換装置の構成を示す図である。
【図２】チョッパセルの構成を示す図である。
【図３】第１の実施形態に係る制御装置のシーケンス図である。
【図４】１相の正側アームと負側アームとの間の接続点で地絡事故が発生した場合の地絡電流経路を示す図である。
【図５】ゼロ点補助電流が流れる電流経路を示す図である。
【図６】（ａ）は、短絡スイッチが設けられていない場合における事故発生前後の交流遮断器の電流波形図である。（ｂ）は、短絡スイッチが設けられた場合における事故発生前後の交流遮断器の電流波形図である。
【図７】１相の正側アームで短絡事故が発生した場合の短絡電流経路を示す図である。
【図８】第１の実施形態の変形例に係る電力変換装置の構成を示す図である。
【図９】第２の実施形態の電力変換装置の構成を示す図である。
【図１０】多巻線変圧器の中性線に短絡スイッチが設けられた場合における事故発生前後の交流遮断器の電流波形図である。
【図１１】第３の実施形態の電力変換装置の構成を示す図である。
【図１２】第４の実施形態に係る制御装置のシーケンス図の一例である。
【図１３】フルブリッジセルの構成を示す図である。
【発明を実施するための形態】
【００１３】
［１．第１の実施形態］
［１−１．構成］
以下では、図１、図２を参照しつつ、本実施形態の電力変換装置について説明する。図１は、本実施形態に係る電力変換装置の構成を示す図である。
【００１４】
電力変換装置は、交流と直流の間で相互に電力を変換し、交流から直流に又は直流から交流に変換して電力伝送を行う。電力変換装置は、正側直流端子１０ａ及び負側直流端子１０ｂを有する直流端子と、３相交流系統１００に接続される３相交流端子との間に接続されている。この正側直流端子１０ａ及び負側直流端子１０ｂが、例えば、他の電力変換装置や直流線路と接続されて、電力変換装置は、５０Ｈｚから６０Ｈｚに変換するなどの周波数変換や、直流送電システムに用いられる。なお、各回路構成を説明するのに、正側直流端子１０ａ側を「正側」と称し、負側直流端子１０ｂ側を「負側」と称する。
【００１５】
電力変換装置は、ＭＭＣ、変圧器３、バッファリアクトル４、交流遮断器５、短絡スイッチ６、及び制御装置７を備える。
【００１６】
ＭＭＣは、多数の単位変換器の列から構成され、各単位変換器のスイッチングタイミングがずらされることにより、階段状の交流電圧などの任意の電圧を出力する。単位変換器は、例えば、図２に示すようなチョッパセル１である。
【００１７】
チョッパセル１は、２つのスイッチング素子１１ａ、１１ｂ、ダイオード１２ａ、１２ｂ、及びコンデンサ１３を有し、コンデンサ１３を電圧源とし、スイッチング素子１１ａ、１１ｂのオンオフ動作により所望の直流電圧を出力する。
【００１８】
具体的には、スイッチング素子１１ａ、１１ｂは、互いに直列接続されてレグを構成し、コンデンサ１３はこのレグに並列に接続されている。スイッチング素子１１ａ、１１ｂとしては、ＩＥＧＴ、ＧＴＯ、ＧＣＴ、ＭＯＳＦＥＴ、又はＩＧＢＴなどの制御可能な自己消弧型素子を用いることができる。スイッチング素子１１ａ、１１ｂには、帰還ダイオード１２ａ、１２ｂが逆並列に接続されている。チョッパセル１は、スイッチング素子１１ａがオン時にコンデンサ１３の直流電圧Ｖｃを出力し、スイッチング素子１１ｂがオン時にゼロ電圧となる。
【００１９】
ＭＭＣは、このような単位変換器が正側直流端子１０ａ及び負側直流端子１０ｂ間にＵ相、Ｖ相、及びＷ相の相ごとに、多段に直列接続されている。直流端子１０ａ、１０ｂ間の単位変換器の並びをレグ２と称すると、各相のレグ２は正側直流端子１０ａと負側直流端子１０ｂとの間に並列接続される。
【００２０】
このようなレグは、正側アーム２ａと負側アーム２ｂとに大別される。すなわち、正側アーム２ａは、単位変換器が多段に直列接続されてなる単位変換器群であり、その一端が正側直流端子１０ａに接続される。負側アーム２ｂは、単位変換器が多段に直列接続されてなる単位変換器群であり、その一端が負側直流端子１０ｂに接続される。正側アーム２ａと負側アーム２ｂは他端同士で互いに接続される。各アーム２ａ、２ｂの正側直流端子１０ａ、負側直流端子１０ｂに接続される端子がＭＭＣの直流端子となり、正側アーム２ａと負側アーム２ｂの接続点が交流端子となる。
【００２１】
変圧器３は、交流端子と交流系統１００との間に接続されている。変圧器３は、交流系統１００と電力変換装置との電気的な絶縁及びＭＭＣと交流系統１００との電圧レベルの差を合わせるものであり、必ずしも必要ではない。
【００２２】
バッファリアクトル４は、正側アーム２ａと負側アーム２ｂにそれぞれ設けられている。すなわち、正側アーム２ａのバッファリアクトル４は、交流端子と正側アーム２ａとの間に直列接続される。負側アーム２ｂのバッファリアクトル４は、交流端子と負側アーム２ｂとの間に直列接続される。バッファリアクトル４は、３相の直流電圧が異なることにより、相間に過大な短絡電流が流れるのを防止するリアクトルである。
【００２３】
交流遮断器５は、交流端子と交流系統１００との間に接続される。交流遮断器５は、入力する信号に応じて、閉路、開路の動作が可能なスイッチである。交流遮断器５は、接点の接離により開閉可能な機械的な遮断器であり、例えば、ガス遮断器を用いることができる。
【００２４】
短絡スイッチ６は、ここでは、直流端子と接続点との間に接続されており、入力された信号に応じて閉路、開路の選択が可能なスイッチである。本実施形態では、負側直流端子１０ｂが接地電位となっており、短絡スイッチ６は接地点及び正側直流端子１０ａに接続されている。短絡スイッチ６がオンになると正側直流端子１０ａと負側直流端子１０ｂとが接地点を介して短絡する。短絡スイッチ６は、ＭＭＣの３相のレグ２の全てに接続されていれば良く、正側直流端子１０ａを接地電位として、短絡スイッチ６を接地点及び負側直流端子１０ｂに接続するようにしても良い。また、正側直流端子１０ａと負側直流端子１０ｂとの間に接続するようにしても良い。
【００２５】
短絡スイッチ６は、短絡に耐え得る定格を有するスイッチであり、数十ｍｓのオーダーでオンとなるような迅速な応答性を有するスイッチである。例えば、短絡スイッチ６としては、サイリスタなどの半導体スイッチを用いることができる。
【００２６】
電力変換装置には、各部の電圧、電流を測定する測定器（不図示）が設けられている。この測定器は、電流計、電圧計であり、例えば、正側アーム２ａ、負側アーム２ｂの電流や、変圧器３の電圧、電流、直流端子の電圧、電流を測定する。
【００２７】
制御装置７は、電力変換装置の制御を行う装置である。制御装置７は、測定器から各部の電流値、電圧値を取得し、事故発生を検出する検出部と、交流遮断器５に交流系統１００と交流端子との間の交流電路を遮断させる信号を生成し、出力する遮断器制御部と、短絡スイッチ６に閉指令を出力する短絡スイッチ制御部とを有する。制御装置７は、チョッパセル１のスイッチング素子１１ａ、１１ｂのオンオフのタイミングを制御する。
【００２８】
なお、交流遮断器５および短絡スイッチ６には、交流遮断器５、短絡スイッチ６のメインの開閉状態と機械的に同期して動作する補助接点と称されるスイッチがそれぞれ設けられており、当該補助接点のオンオフ状態をセンサで読み取って開閉状態を示す信号が制御装置７に入力させることができる。
【００２９】
［１−２．作用］
上記のような構成を有する電力変換装置の作用について、図３〜図６を用いて説明する。図３は、制御装置７のシーケンス図である。制御装置７は、検出部により各部の電流、電圧の値から事故を検出する。例えば、地絡事故が発生したとすると、検出部は正側アーム２ａ、負側アーム２ｂ、変圧器３の２次側の電流値を取得し、それらの差動電流を求めることで、ある相の正側アーム２ａと負側アーム２ｂの間の接続点で地絡事故が発生したことを検出できる。なお、以下では、事故は地絡事故を例に説明する。
【００３０】
図４は、１相の正側アーム２ａと負側アーム２ｂとの間の接続点で地絡事故が発生した場合の地絡電流経路であり、３相交流の１周期分の経路を示す。図４に示すように、地絡事故が生じると、事故電流として、地絡点に向かって交流系統１００から地絡電流が供給される。この地絡電流は、電力変換装置の負側直流端子１０ｂの接地点から、地絡事故が生じていない他の２相の負側アーム２ｂを通り、交流系統１００へ戻る。
【００３１】
事故の検出後、制御装置７は、スイッチング素子１１ａ、１１ｂをオフにしてＭＭＣをゲートブロック状態とする。
【００３２】
ここで、仮に交流遮断器５を開離動作させると、接点間が開離し両接点間にアーク放電が発生する。通常、事故が発生しない場合は、電流ゼロ点でアーク放電が消滅することにより事故電流が遮断されるが、１相が地絡したことにより、３相の地絡電流のバランスが崩れる。例えば、Ｕ相で地絡した場合、図４に示すように、３相の交流電圧の大小関係にも依るが、交流系統１００から地絡点に向かって地絡電流が供給され、負側直流端子１０ｂの接地点を介してＶ相、Ｗ相の負側アーム２ｂを通って交流系統１００へ戻る経路となり、３相が不平衡になる。その際、交流遮断器５を通過する地絡電流に直流成分が重畳し、遮断できる程度まで電流が低下しない場合がある。例えば、Ｕ相が地絡した場合、Ｕ相の直流電流成分が大きくなり、交流の地絡電流がシフトし、電流ゼロ点にクロスしない場合がある。
【００３３】
そこで、制御装置７は、短絡スイッチ制御部により、短絡スイッチ６をオンにする信号を当該スイッチに出力する。これにより、短絡スイッチ６がオンとなり、正側直流端子１０ａと接地点とが接続され、接地点を介して正側直流端子１０ａと負側直流端子１０ｂとが短絡する。その結果、事故電流に電流ゼロ点を作り出すことをアシストするゼロ点補助電流が流れる。
【００３４】
図５は、ゼロ点補助電流が流れる電流経路を示す図であり、３相交流の一周期分の経路を示す。図５に示すように、３相の交流電圧の大小関係によって流れる相は変わるが、短絡スイッチ６が正側直流端子１０ａを介して３相のレグ２の全てに接続されているため、直流端子１０ａ、１０ｂ間を短絡させることで、３相全てにバランスしてゼロ点補助電流が流れる。これにより、３相不平衡な地絡電流に３相平衡なゼロ点補助電流が加わることで、交流系統１００からは、地絡電流とゼロ点補助電流の両方が電力変換装置に供給される。つまり、交流遮断器５に流れる事故電流は、例えば交流１周期の時間平均で考えると、地絡電流とゼロ点補助電流の和となり、地絡電流の直流成分がゼロ点補助電流の直流成分により相殺され、交流遮断器５が遮断可能な程度にまで電流を低下させることができる。
【００３５】
実際にゼロ点補助電流により、電流ゼロ点が作り出されていることが確認できる解析結果を示す。すなわち、図６（ａ）は、短絡スイッチ６が設けられていない場合における事故発生前後の交流遮断器の電流波形図であり、図６（ｂ）は、短絡スイッチ６が設けられた場合における事故発生前後の交流遮断器５の電流波形図である。
【００３６】
図６（ａ）に示すように、実線で示す事故相の電流波形は、地絡事故発生後に電流ゼロのラインから上昇して上下に振動しており、地絡電流に直流成分が重畳したことが確認できる。また、直流成分の重畳により、電流ゼロのラインとクロスしておらず、交流遮断器５で遮断できないことが分かる。なお、破線及び点線で示す他の２相の電流波形は、地絡事故発生後に電流ゼロのラインから下降して上下に振動しており、１相の事故の影響を受けて地絡電流に直流成分が重畳したことが確認できる。
【００３７】
一方、図６（ｂ）に示すように、短絡スイッチ６をオンにするまでは各相の電流波形は図６（ａ）と同じ挙動となるが、短絡スイッチ６をオンにした後は、実線で示す事故相の電流波形は、電流ゼロのラインにクロスするように低減しており、ゼロ点補助電流により地絡電流の直流成分が相殺されていることが確認できる。なお、破線及び点線で示す他の２相の電流波形も、地絡事故発生後に電流ゼロのラインに近づくような挙動を示しており、ゼロ点補助電流によって地絡電流に含まれる直流成分が相殺されたことが確認できる。
【００３８】
以上のように、短絡スイッチ６により、直流端子１０ａ、１０ｂ間を短絡させ、３相平衡なゼロ点補助電流を流すことで、交流遮断器５に流れる事故電流に人工的に電流ゼロ点を作り出すことができる。
【００３９】
上記のように、短絡スイッチ６がオンになり、制御装置７は、短絡スイッチ６の閉状態を示す信号を受けた後、遮断器制御部により、交流遮断器５に交流電路を遮断させる。このように人工的に電流ゼロ点を作り出すことができるので、事故が発生して事故電流に直流成分が重畳した場合でも、事故電流を低下させ、安全かつ迅速に事故電流を遮断することができる。
【００４０】
上記では、地絡事故を例に説明したが、短絡事故でも同様の作用効果を得ることができる。例えば、ある相の正側アーム２ａ又は負側アーム２ｂが短絡した場合、短絡電流は、図７に示すように、交流系統１００から当該短絡事故相の正側アーム２ａ又は負側アーム２ｂに流れ、他の２相の正側アーム２ａ又は負側アーム２ｂを経由して交流系統１００へ戻る際、短絡電流に直流成分が重畳することがある。このような場合でも、短絡スイッチ６により、短絡電流を低下させ、安全かつ迅速に事故電流を遮断することができる。
【００４１】
［１−３．効果］
（１）本実施形態に係る電力変換装置は、正側直流端子１０ａ及び負側直流端子１０ｂを有する直流端子と３相交流端子との間に設けられ、直流と３相交流との間で相互に電力を変換する電力変換装置であって、スイッチング素子１１ａ、１１ｂとコンデンサ１３とを含む単位変換器がそれぞれ多段接続されてなり、正側直流端子１０ａと負側直流端子１０ｂとの間を直列接続された正側アーム２ａ及び負側アーム２ｂを３相各相に備え、正側直流端子１０ａと負側直流端子１０ｂとの間には、正側直流端子１０ａと負側直流端子１０ｂとを接地点を介して接続する短絡スイッチ６を設けるようにした。
【００４２】
これにより、電力変換装置に地絡や短絡などの事故が発生し、交流系統１００側に直流の事故電流が流れる場合でも、短絡スイッチ６により直流端子１０ａ、１０ｂ間を短絡させて電力変換装置から交流遮断器５に直流成分を含むゼロ点補助電流を流すことができるので、事故電流の直流成分を低減させることができる。すなわち、短絡スイッチ６は、正側アーム２ａ又は負側アーム２ｂの３相のいずれにも接続されているので、短絡スイッチ６をオンにすることで、３相全てにバランスしてゼロ点補助電流を流すことができる。従って、交流遮断器５に流れる電流は、事故電流とゼロ点補助電流との和となり、交流遮断器に流れる事故電流のうち、直流成分を相殺することができる。そのため、事故により３相不平衡になっても、電流ゼロ点を作り出すことができ、安全かつ迅速に遮断することができる。
【００４３】
（２）３相の交流系統１００と、正側アーム２ａ及び負側アーム２ｂ間の接続点との間の交流電路に設けられた交流遮断器５に遮断指令を出力する遮断器制御部と、短絡スイッチ６に閉指令を出力する短絡スイッチ制御部とを有する制御装置７を備え、制御装置７は、短絡スイッチ制御部が短絡スイッチ６に閉指令を出力し、短絡スイッチ６の閉状態を示す信号を受けた後、遮断器制御部が交流遮断器５に遮断指令を出力するようにした。これにより、交流遮断器５にゼロ点が生じることを担保した上で交流遮断器５による遮断をすることができる。結果的に、交流遮断器５の不動作によって短絡スイッチ６などの他の機器の道連れ的な故障を防止することができる。
【００４４】
（３）短絡スイッチ６を半導体スイッチとした。これにより、瞬時に接地点を介して正側直流端子１０ａと負側直流端子１０ｂとの間を短絡させることができる。すなわち、ゼロ点補助電流により事故電流の直流成分を瞬時に相殺することができるので、電流ゼロ点を迅速に作り出すことができ、交流遮断器５の破壊を防止できるとともに、安全かつ迅速に電流を遮断することができる。
【００４５】
［１−４．変形例］
第１の実施形態に係る電力変換装置の変形例を、図８を用いて説明する。本変形例は、第１の実施形態と基本構成は同じである。よって、第１の実施形態と異なる点のみを説明し、第１の実施形態と同じ部分については同じ符号を付して詳細な説明は省略する。
【００４６】
図８は、第１の実施形態の変形例に係る電力変換装置の構成を示す図である。本変形例は、バッファリアクトル４に代えて多巻線変圧器８を備える。Ｕ相、Ｖ相、及びＷ相の多巻線変圧器８はスター結線されている。多巻線変圧器８は、少なくとも３つ以上の巻線を有する変圧器である。多巻線変圧器８は、３相交流系統１００と接続される交流系統側巻線８１と、正側アーム２ａと負側アーム２ｂとの間に直列接続された第１の直流系統側巻線８２及び第２の直流系統側巻線８３と、不図示の鉄心とを有する。多巻線変圧器８は、系統に流出する高調波抑制のための安定巻線を有していても良い。巻線８１〜８３は、鉄心に巻回されている。巻線８２、８３は、巻き数が等しく、負極性が互いに接続されることで逆極性を有する。
【００４７】
また、多巻線変圧器８は、３相各相の第１の直流系統側巻線８２と第２の直流系統側巻線８３との間に中性線８４を有する。中性線８４は、３相各相の第１の直流系統側巻線８２と第２の直流系統側巻線８３との間から延びて互いに結線しており、Ｕ相、Ｖ相及びＷ相の多巻線変圧器８を互いに接続している。
【００４８】
このように、バッファリアクトル４を多巻線変圧器８に代えたことで、電力変換装置内の直流電流は、正側アーム２ａから第１の直流系統側巻線８２、第２の直流系統側巻線８３を介して負側アーム２ｂへ流れる。従って、第１の直流系統側巻線８２、第２の直流系統側巻線８３が逆極性で直列接続されているので、それぞれ流れる直流電流による直流起磁力は、互いに逆極性になって打ち消し合い、鉄心内に直流磁束が生じない。更に、同一相内で直流起磁力を打ち消すことができるため、事故時などに交流系統に不平衡が生じた場合でも、多巻線変圧器８の鉄心は偏磁や飽和せずに動作することができる。
【００４９】
また、このバッファリアクトル４は、装置の大型化及び高コスト化の要因となっていたが、多巻線変圧器８により、正側アーム２ａと負側アーム２ｂとの間にバッファリアクトル４を介在させる必要がなくなる。そのため、装置の小型化及び低コスト化を図ることができる。
【００５０】
［２．第２の実施形態］
第２の実施形態について、図９を用いて説明する。第２の実施形態は、第１の実施形態の変形例と基本構成は同じである。よって、第１の実施形態の変形例と異なる点のみを説明し、第１の実施形態の変形例と同じ部分については同じ符号を付して詳細な説明は省略する。
【００５１】
図９は、第２の実施形態の電力変換装置の構成を示す図である。第２の実施形態では、短絡スイッチ６は、多巻線変圧器８の中性線８４と接地点とを接続する。
【００５２】
これにより、中性線８４が３相全てに接続されているので、短絡スイッチ６をオンにして中性線８４と、接地された直流端子（ここでは負側直流端子１０ｂ）とを短絡させて閉路にした回路は、３相でバランスした回路構成となる。そのため、当該回路に流れるゼロ点補助電流も３相でバランスした電流となる。従って、交流遮断器５に流れる電流は、事故電流とゼロ点補助電流との和となり、交流遮断器５に流れる事故電流のうち、直流成分を相殺することができる。図１０に示すように、実線で示す事故相の電流波形は、電流ゼロのラインにクロスするように低減しており、ゼロ点補助電流により地絡電流の直流成分が相殺されていることが確認できる。このように、事故により３相不平衡になっても、電流ゼロ点を作り出すことができ、速やかに遮断することができる。
【００５３】
また、短絡スイッチ６を直流端子と接続する場合と比べて、印加される電圧が１／２で済むため、短絡スイッチ６の耐圧を低減することができる。
【００５４】
［３．第３の実施形態］
第３の実施形態について、図１１を用いて説明する。第３の実施形態は、第２の実施形態と基本構成は同じである。よって、第２の実施形態と異なる点のみを説明し、第２の実施形態と同じ部分については同じ符号を付して詳細な説明は省略する。
【００５５】
図１１は、第３の実施形態の電力変換装置の構成を示す図である。第３の実施形態では、短絡スイッチ６と接地点との間にインピーダンス９が挿入されている。インピーダンス９は、例えば抵抗、リアクトル、又はこれらを直列接続して構成することができる。
【００５６】
このように、短絡スイッチ６と直列にインピーダンス９が挿入されるので、ゼロ点補助電流の大きさを変化させることができる。例えば、ゼロ点補助電流の大きさを大きくしたいときは、インピーダンス９を小さくし、ゼロ点補助電流の大きさを小さくしたいときは、インピーダンス９を大きくする。これにより、交流遮断器５を通過する事故電流を低下させて、電流ゼロ点を作り出すことができる。そのため、交流系統１００への影響を最小限に抑えることができる。
【００５７】
［４．第４の実施形態］
第４の実施形態について、図１２を用いて説明する。第４の実施形態は、第１の実施形態と基本構成は同じである。よって、第１の実施形態と異なる点のみを説明し、第１の実施形態と同じ部分については同じ符号を付して詳細な説明は省略する。
【００５８】
図１２は、第４の実施形態に係る制御装置７のシーケンス図である。制御装置７は、検出部により事故を検出した後、短絡スイッチ制御部が短絡スイッチ６に閉指令を出力し、短絡スイッチ６の閉動作を示す信号を受ける前に、遮断器制御部が交流遮断器５に遮断指令を出力する。遮断器制御部による遮断指令は、短絡スイッチ６の閉状態を示す信号の受信前であれば良い。例えば、図１２に示すように、制御装置７は、遮断器制御部及び短絡スイッチ制御部により、交流遮断器５への遮断指令と同時に短絡スイッチ６に閉指令を出力しても良い。
【００５９】
これにより、交流遮断器５の開動作タイミングと短絡スイッチ６の閉動作タイミングを近づけることができるため、交流遮断器５の事故電流通過時間を短くすることができる。その結果、交流遮断器５での発生熱量を当該遮断器５の発生熱量規定値未満に抑えることができ、交流遮断器５の破壊を防止することができる。
【００６０】
［５．その他の実施形態］
本明細書においては、本発明に係る複数の実施形態を説明したが、これらの実施形態は例として提示したものであって、発明の範囲を限定することを意図していない。以上のような実施形態は、その他の様々な形態で実施されることが可能であり、発明の範囲を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。
【００６１】
例えば、上記の実施形態では、単位変換器をチョッパセル１としたが、フルブリッジセルとしても良い。図１３に示すように、単位変換器を４つのスイッチング素子１１ａ、１１ｂと直流電圧源のコンデンサ１３と４つのダイオード１２ａ、１２ｂで構成されるフルブリッジセルにすることにより、直流地絡事故などの事故電流を遮断することができる。
【００６２】
チョッパセル１のスイッチング素子１１ａ、１１ｂのオンオフのタイミングは、制御装置７が行うようにしたが、別の制御装置が行うようにしても良い。
【００６３】
第３の実施形態は、第２の実施形態を基本として説明したが、第１の実施形態、その変形例、第４の実施形態に対しても適用可能である。
【００６４】
第４の実施形態は、第１の実施形態を基本として説明したが、第１の実施形態の変形例、第２の実施形態、及び第３の実施形態に対しても適用可能である。
【符号の説明】
【００６５】
１                  チョッパセル
１０ａ              正側直流端子
１０ｂ              負側直流端子
１１ａ、１１ｂ      スイッチング素子
１２ａ、１２ｂ      ダイオード
１３                コンデンサ
２                  レグ
２ａ                正側アーム
２ｂ                負側アーム
３                  変圧器
４                  バッファリアクトル
５                  交流遮断器
６                  短絡スイッチ
７                  制御装置
８                  多巻線変圧器
８１                交流系統側巻線
８２                第１の直流系統側巻線
８３                第２の直流系統側巻線
８４                中性線
９                  インピーダンス
１００              交流系統
【図１】
2018148685.tif 000003
【図２】
2018148685.tif 000004
【図３】
2018148685.tif 000005
【図４】
2018148685.tif 000006
【図５】
2018148685.tif 000007
【図６】
2018148685.tif 000008
【図７】
2018148685.tif 000009
【図８】
2018148685.tif 000010
【図９】
2018148685.tif 000011
【図１０】
2018148685.tif 000012
【図１１】
2018148685.tif 000013
【図１２】
2018148685.tif 000014
【図１３】
2018148685.tif 000015